(57)【要約】      （修正有）【課題】簡単かつ正確に必要な間隔や位置に印を付けることが可能であるローラー式マーカを提供する。【解決手段】ローラ式マーカは、ローラ柄１と、ローラ柄１の先端に設けられた取付軸２と、取付軸２に回動自在に設けられたローラ３と、ローラ３に設けられた所定間隔のマーカ４とを備えてなる。このローラー式マーカを用いて印を付することで、規定感覚の釘、ビス打ち作業が構造使用とおりに早く性格にでき、苦労と材料の無駄が無くなり、省力化と省資源と施工精度の向上が図れ、かつ目視検査が容易になる。【選択図】図１
0003129091.tif 000002
【実用新案登録請求の範囲】
【請求項１】
ローラ柄と、
前記ローラ柄の先端に設けられた取付軸と、
前記取付軸に回動自在に設けられたローラと、
前記ローラに設けられた所定間隔のマーカとを備えてなることを特徴とするローラ式マーカ。
【請求項２】
前記ローラは、前記取付軸に着脱自在に設けられ、前記マーカの所定間隔が異なるローラに交換可能であることを特徴とする請求項１に記載のローラ式マーカ。
【請求項３】
前記ローラは、内部にインクタンクが設けられ、
前記インクタンクに貯留されるインクを前記マーカに供給可能であることを特徴とする請求項１または請求項２に記載のローラ式マーカ。
【請求項４】
前記ローラは、片側に円盤状の縁を有し、
前記縁と前記マーカの位置との間隔が可変であることを特徴とする請求項１乃至請求項３のいずれか１項に記載のローラ式マーカ。
【請求項５】
前記マーカは、−記号、＋記号、○記号、△記号、□記号、◇記号、※記号から選択されることを特徴とする請求項１乃至請求項４のいずれか１項に記載のローラ式マーカ。
【請求項６】
前記マーカの所定間隔は、基準間隔より狭い間隔に設定されることを特徴とする請求項１乃至請求項５のいずれか１項に記載のローラ式マーカ。
【請求項７】
前記ローラのマーカ部分を覆う蓋を有することを特徴とする請求項１乃至請求項６のいずれか１項に記載のローラ式マーカ。
【考案の詳細な説明】
【技術分野】
【０００１】
この考案は、例えば木造住宅における構成材料の釘、ビスの位置を必要な間隔にするために印を付ける場合に、RC構造物の鉄筋配筋作業時の配筋間隔の印を付する場合に使用するローラ式マーカに関するものである。
【背景技術】
【０００２】
例えば、インキ吸収タイプの捺印物に転がし捺印するローラー捺印具があるが(特許文献１)、例えば木造住宅における構成材料などに釘、ビスを必要な間隔に打つ場合に印を付けるものがない。また、例えばビス位置の部材端部から入り込む寸法も所定寸法に一定の印を付けたい場合がある。特に、構造基準に使用部材ごとの必要なビス打ち間隔や配筋位置が仕様で定められている場合には、基準間隔以内での正確なビス打ちや配筋を行う必要がある。
【特許文献１】特開平８-１５６３８１号公報
【考案の開示】
【考案が解決しようとする課題】
【０００３】
そのためメジャーとチョーク等を使って手作業で、その都度マーキングをしており、手間が掛かるとともに正確に欠け、しかも不便である。
【０００４】
また、木造住宅における構成材料にピッチを印字した印字済みの品物を納品すると通常のものよりも割高になってしまう。さらに、現場で任意に切欠き加工した場合には、印字済みのマーキングが消えたりしてしまい、新たなマーキング作業が必要となる。
【０００５】
この考案は、かかる点に鑑みてなされたもので、簡単かつ正確に必要な間隔や位置に印を付けることが可能なローラ式マーカを提供することを目的としている。
【課題を解決するための手段】
【０００６】
前記課題を解決し、かつ目的を達成するために、この考案は、以下のように構成されている。
【０００７】
請求項１に記載の考案は、 
ローラ柄と、
前記ローラ柄の先端に設けられた取付軸と、
前記取付軸に回動自在に設けられたローラと、
前記ローラに設けられた所定間隔のマーカとを備えてなることを特徴とするローラ式マーカである。
【０００８】
請求項２に記載の考案は、 
前記ローラは、前記取付軸に着脱自在に設けられ、前記マーカの所定間隔が異なるローラに交換可能であることを特徴とする請求項１に記載のローラ式マーカである。
【０００９】
請求項３に記載の考案は、 
前記ローラは、内部にインクタンクが設けられ、
前記インクタンクに貯留されるインクを前記マーカに供給可能であることを特徴とする請求項１または請求項２に記載のローラ式マーカである。
【００１０】
請求項４に記載の考案は、前記ローラは、片側に円盤状の縁を有し、
前記縁と前記マーカの位置との間隔が可変であることを特徴とする請求項１乃至請求項３のいずれか１項に記載のローラ式マーカである。
【００１１】
請求項５に記載の考案は、 
前記マーカは、−記号、＋記号、○記号、△記号、□記号、◇記号、※記号から選択されることを特徴とする請求項１乃至請求項４のいずれか１項に記載のローラ式マーカである。
【００１２】
請求項６に記載の考案は、 
前記マーカの所定間隔は、基準間隔より狭い間隔に設定されることを特徴とする請求項１乃至請求項５のいずれか１項に記載のローラ式マーカである。
【００１３】
請求項７に記載の考案は、 
前記ローラのマーカ部分を覆う蓋を有することを特徴とする請求項１乃至請求項６のいずれか１項に記載のローラ式マーカである。
【考案の効果】
【００１４】
前記構成により、この考案は、以下のような効果を有する。
【００１５】
請求項１に記載の考案では、作業者がローラ柄を持って、ローラを回転するだけで、ローラに設けられた所定間隔のマーカによって、簡単かつ正確に必要な間隔や位置に印を付けることができる。
【００１６】
請求項２に記載の考案では、マーカの所定間隔が異なるローラに交換することで、マーカの間隔を必要に応じて簡単に選択、設定でき、規定間隔や位置に印を付けることが早く正確にできる。
【００１７】
請求項３に記載の考案では、ローラのインクタンクからインクをマーカに供給することで、長期間使用することができる。
【００１８】
請求項４に記載の考案では、ローラは、片側に円盤状の縁を有し、縁とマーカの位置との間隔が可変であり、印を付ける位置の部材端部から入り込寸法も可変で設定できる。
【００１９】
請求項５に記載の考案では、マーカが−記号、＋記号、○記号、△記号、□記号、◇記号、※記号から選択され、例えばビス打ちに不慣れな作業者でも容易にマーカを目印にしてビス打ちを行うことができる。
【００２０】
請求項６に記載の考案では、マーカの所定間隔は、基準間隔より狭い間隔に設定され、例えばビス打ちに不慣れな作業者でも確実に基準間隔以内にビス打ちを行うことができる。
【００２１】
請求項７に記載の考案では、使用しないときは、ローラのマーカ部分を蓋で覆うことで、マーカからのインクの蒸発を軽減でき長期間使用することができる。
【考案を実施するための最良の形態】
【００２２】
以下、この考案のローラ式マーカの実施の形態について説明するが、この考案の実施の形態は、考案の最も好ましい形態を示すものであり、この考案はこれに限定されない。
図１はローラ式マーカの斜視図、図２はローラ式マーカの分解図、図３はローラの断面図、図４はローラの他の実施の形態の断面図、図５はローラ式マーカを使用して木造住宅における構成材料に所定間隔の印を付する位置を示す図、図６はローラ式マーカの使用状態を示す図、図７はローラ式マーカの他の使用状態を示す図である。
【００２３】
この考案のローラ式マーカは、ローラ柄１と、ローラ柄１の先端に設けられた取付軸２と、取付軸２に回動自在に設けられたローラ３と、ローラ３に設けられた所定間隔のマーカ４とを備えている。
【００２４】
ローラ柄１は、作業者が握る太い握り部１aと、この握り部１aから延びる棒状の支持部１ｂからなる。棒状の支持部１ｂは、その先端部１ｂ１が略直角に曲げられている。握り部１aは、例えば板材、樹脂などで成形され、棒状の支持部１ｂは例えば金属、樹脂などで成形され、握り部１aに棒状の支持部１ｂを差し込んで取り付けられる。
【００２５】
取付軸２は、例えば樹脂で成形され、この取付軸２は、ローラ柄１の支持部１bの先端部１ｂ１に挿入して取り付けられる。取付軸２には、回転軸６が回動自在に設けられ、この回転軸６には片側に円盤状の縁５を介してローラ３が装着される。取付軸２の先端部２aがローラ３から突出しており、この先端部２aにはカバー８を介してロック７が螺着され、回転軸６、円盤状の縁５、ローラ３が抜け止めされている。この円盤状の縁５は、回転軸６に取り付け、取り外しが可能であり、マーカ４によって印字する場所などによって縁５を取り付け、または取り外して使用する。
【００２６】
ローラ３は、図３.図４に示すように、ローラ本体３aにリング部３bを設けて構成され、リング部３bは、その外周の被印字部と接触する表面がゴム材などの滑りにくい部材で形成されている。このリング部３ｂには、マーカ４が所定間隔で設けられ、このマーカ４の埋め込み側端部がリング部３bに埋設したインクタンク3cに接続されている。マーカ４は布材などインクが浸透可能な部材で形成され、埋め込み側端部からインクタンク3cのインクが含浸され、表面の印字側端部に導かれ、この印字側端部によって印字される。ローラ３のローラ本体３aは、回転軸６を介して取付軸２に着脱自在に設けられ、図３,図４に示すように、マーカ４の所定間隔が異なるローラに交換可能である。
【００２７】
このマーカ４の所定間隔が異なるローラとして、マーカ４の個数を変えてローラ径を変えない場合と、マーカ４の個数が同じでローラ径を変える場合、あるいはマーカ４の個数とローラ径を変える場合があり、マーカ４の印の間隔を必要に応じて簡単に選択、設定できる。マーカ４の個数を変えてローラ径を変えない場合として、ローラ本体３ａとリング部３ｂを図３（a）,（b）,（c）とも同じ大きさのものとし、例えば図３（a）はリング部３ｂの外側にマーカ４を１００mm間隔で６個設け、図３（ｂ）はリング部３ｂの外側にマーカ４を１５０mm間隔で４個設け、図３（ｃ）はリング部３ｂの外側にマーカ４を２００mm間隔で６個設けたものであり、ローラ本体３ａに必要に応じて図３（a）のリング部３ｂ、または図３（ｂ）のリング部３ｂ、または図３（ｃ）のリング部３ｂを交換して嵌め込んで使用する。また、マーカ４の個数が同じでローラ径を変える場合として、例えば、図４（a）, （b）, （c）は、マーカ４の個数が6個で同じであるが、リング部３ｂの外径を変えることで、図４（a）はマーカ４の所定間隔が１００mm、図４（ｂ）はマーカ４の所定間隔が１５０mm、図４（ｃ）はマーカ４の所定間隔が２００mmであるリング部３ｂとすることができる。この図4に示す実施の形態では、図４（ｂ）のリング部3bを使用する場合は、図４（ｄ）に示すように、図４（ｂ）のリング部3bを図４（a）のリング部3bの外周に嵌め込んで使用する。図４（ｃ）のリング部3bを使用する場合は、図４（e）に示すように、さらに図４（ｃ）のリング部3bを図４（ｄ）のリング部3bの外周に嵌め込んで使用する。また、保管する場合には、図４（e）に示すように、それぞれのリング部3bの外周に嵌め込み、最後にカバーをするなどしてコンパクトにでき、保管場所の確保が容易であるとともに、マーカ4を覆うことでマーカ4からのインクの蒸発を防止することができる。また、図４（a）, （b）, （c）は、マーカ４の個数が6個で同じであるが、これに限定されることなく、マーカ４の個数とローラ径を変え、マーカ４の印の間隔を必要に応じて簡単に選択、設定できる。また、図４（a）, （b）, （c）のリング部3bは、それぞれローラ本体３ａに設け、これらを相互に独立したものとして交換可能にしてもよい。
【００２８】
マーカ４は、図５に示すように、−記号、＋記号、○記号、△記号、□記号、◇記号、※記号から選択されることが好ましく、この実施の形態では、−記号のマーカ４が用いられている。また、図５において、マーカ４の印字方向を矢印で示しており、マーカ４の所定間隔L1は、基準間隔L2より狭い間隔に設定できる。また、マーカ４は、△記号などの記号の場合には、被印字部の端部からの所定位置に合わせ易いような向きにしてもよい。
【００２９】
また、ローラ３のマーカ部分を覆う蓋９を有しており、使用しないときは、ローラ３のマーカ部分を蓋９で覆うことで、マーカ４からのインクの蒸発を軽減でき長期間使用することができる。
【００３０】
このローラ式マーカは、例えば図６に示すように、木造住宅における構成材料などにビスを必要な間隔に打つ場合に印を付けるものとして用いられる。例えば、壁のボード１００の周辺部１００aや開口部１０１の周辺部１０１aには、図３（a）, 図4（a）のマーカ４の所定間隔が１００mmのローラ式マーカが用いられ、壁のボード１００の中央部100bには、図３（ｃ）, 図4（c）のマーカ４の所定間隔が２００mmであるローラ式マーカが用いられる。
【００３１】
また、天井のボード１１０の周辺部１１０aには、図３（ｂ）, 図4（b）のマーカ４の所定間隔が１５０mmのローラ式マーカが用いられ、天井のボード１１０の中央部1１0bには、図３（ｃ）, 図4（c）のマーカ４の所定間隔が２００mmであるローラ式マーカが用いられる。また、壁のボード１００の周辺部１００aや開口部１０１の周辺部１０１a、天井のボード１１０の周辺部1１０aには、ローラ式マーカは縁５を取り付けたものが用いられ、中央部１００ｂ,110bには、縁５を取り外したものが用いられる。
【００３２】
このローラ式マーカにおいて、縁５を取り付けたものは、図7に示すように、作業者がローラ柄１を持って縁５を材料１２０の端部１２０aに当てがい、ローラ３をビス止め対象の材料１２０に当てる。そして、ローラ柄１を押しながらローラ３を回転させるが、このときローラ３のリング部３ｂは、その外周の被印字部と接触する表面がゴム材などの滑りにくい部材で形成されているため、リング部３ｂが保護され、かつ滑りにくくなっており、作業者がローラ柄１を持って、ローラ３を回転するだけで、ローラ３に設けられた所定間隔のマーカ４によって、簡単かつ正確に必要な間隔や位置に印６０を付けることができる。
【００３３】
また、マーカ４の所定間隔が異なるローラ３に交換することで、マーカ４の間隔を必要に応じて簡単に選択、設定でき、規定間隔や位置に印６０を付けることが早く正確にできる。
【００３４】
また、ローラ３は、縁５が取り付け、取り外しが可能であるため、例えば、図6に示すように、ボードの中央部に印６０を付する場合などには、図8に示すように、縁５を取り外して使用することができる。このように、縁５がローラ３から着脱可能なためボードの短辺部、平面部を問わずすべての部位に使用が可能である。また、例えばボードの任意に切欠き加工した短辺部分にも、加工後に印を付けることができる。
【００３５】
また、図9に示すように、縁５とローラ３との間にスペーサ７０を挿入することで、縁５とマーカ４の位置との間隔が可変であり、印を付ける位置の部材端部から入り込寸法も可変で設定できる。
【００３６】
また、マーカ４が−記号、＋記号、○記号、△記号、□記号、◇記号、※記号から選択されることで、例えばビス打ちに不慣れな作業者でも容易にマーカ４を目印にしてビス打ちを行うことができる。しかも、マーカ４の所定間隔L1を基準間隔L2より狭い間隔に設定すれば、例えばビス打ちに不慣れな作業者で位置がずれることがあっても確実に基準間隔L2以内にビス打ちを行うことができる。例えば、マーカ４を直径１０ｍｍの「○」印の記号とし、この「○」印を、中心間隔９0ｍｍで印字する。そうすれば、○印内にビスを打てばビス間隔は必ず８０ｍｍを超え１００ｍｍ未満となり、たとえ線上でも最大１００ｍｍとなり、「１００ｍｍ以下」の基準を確実に満足させられる。このことは、「□」や「◇」などの記号の場合でも同様である。
【００３７】
図10はローラの他の実施の形態を示す断面図である。この実施の形態のローラ３は、リング部３ｂの内部に複数のインクタンク１０が独立して埋設され、それぞれのインクタンク１０にマーカ４が接続されている。マーカ４には布材など形成され、インクタンク１０に貯留されたインクが毛細管現象で表面側にまで供給可能になっており、長期間使用することができる。また、リング部３ｂの内部にインクタンク１０が埋設されているため、異なる径のリング部３ｂと交換することで、マーカ４の所定間隔を容易に変更することができる。
【００３８】
図11はローラの他の実施の形態を示す断面図である。この実施の形態のローラ３は、ローラ本体３aが複数の隔壁１１を有し、この複数の隔壁１１によってリング部３ｂの内部に複数のインクタンク１２が設けられる。隔壁１１に形成した開口１１aで複数のインクタンク１２は連通している。リング部３ｂに設けたマーカ４がインクタンク１２と接続され、リング部３ｂの両側にカバー１３a,13bを設けており、このカバー１３ｂの注入口１４からインクが補給される。注入口１４はキャップ１５で塞がれている。リング部３ｂに設けたマーカ４がインクタンク１２と接続されている。マーカ４には布材など形成され、インクタンク１２に貯留されたインクが毛細管現象で表面側にまで供給可能になっており、長期間使用することができる。
【００３９】
このローラ式マーカは、例えば図6に示すように、木造住宅における構成材料の釘、ビスの位置を必要な間隔にするために印を付ける場合に使用するが、RC構造物の鉄筋配筋作業時の配筋間隔の印を付するために使用することができる。
【００４０】
このように、ローラ式マーカを用いて印を付することで、規定間隔の釘、ビス打ち作業が構造使用とおりに早く正確にでき、苦労と材料の無駄が無くなり、省力化と省資源と施工精度の向上が図れ、かつ目視検査が容易になる。
【産業上の利用可能性】
【００４１】
この考案は、木造住宅における構成材料の釘、ビスの位置を必要な間隔にするために印を付ける場合に、RC構造物の鉄筋配筋作業時の配筋間隔の印を付する場合に使用するローラ式マーカに適用でき、簡単かつ正確に必要な間隔や位置に印を付けることが可能である。
【図面の簡単な説明】
【００４２】
【図１】ローラ式マーカの斜視図である。
【図２】ローラ式マーカの分解図である。
【図３】ローラの断面図である。
【図４】ローラの他の実施の形態の断面図
【図５】マーカの実施の形態を示す図である。
【図６】ローラ式マーカを使用して木造住宅における構成材料に所定間隔の印を付する位置を示す図である。
【図７】ローラ式マーカの使用状態を示す図である。
【図８】ローラ式マーカの他の使用状態を示す図である。
【図９】ローラ式マーカの他の使用状態を示す図である。
【図１０】ローラの他の実施の形態を示す断面図である
【図１１】ローラの他の実施の形態を示す断面図である。
【符号の説明】
【００４３】
１  ローラ柄
２  取付軸
３  ローラ
3a ローラ本体
3ｂリング部
４  マーカ
５  円盤状の縁
６  回転軸
７  ロック
９  蓋
１１  隔壁
１１a 開口
１２ インクタンク  
13a,13b カバー
１４ 注入口
１５ キャップ
【図１】
0003129091.tif 000003
【図２】
0003129091.tif 000004
【図３】
0003129091.tif 000005
【図４】
0003129091.tif 000006
【図５】
0003129091.tif 000007
【図６】
0003129091.tif 000008
【図７】
0003129091.tif 000009
【図８】
0003129091.tif 000010
【図９】
0003129091.tif 000011
【図１０】
0003129091.tif 000012
【図１１】
0003129091.tif 000013